(57)【要約】【課題】身体内部に強力な磁界が必ず生じるようにした健康増進リングを提供する。【解決手段】身体の部位に外嵌する環状のバンド部１０と、異なる磁極が対向するように前記バンド部１０の対向位置に配置される磁石１，１とが備えられている。磁石１としては、ネオジム・鉄・ボロン磁石のような希土類磁石が採用される。バンド部１０は、酢酸トコフェロールのような天然型ビタミンＥを配合した肌にやさしい樹脂によって成形されている。また、バンド部１０は、不連続部１１が設けられ、該不連続部１１の間隔が拡開・近接する弾性部材によって形成されている。【選択図】  図１
2004173754.tif 000002
【特許請求の範囲】
【請求項１】
身体の部位に外嵌する環状のバンド部と、異なる磁極が対向するように前記バンド部の対向位置に配置される磁石とが備えられていることを特徴とする健康増進リング。
【請求項２】
前記磁石は、希土類磁石であることを特徴とする請求項１に記載の健康増進リング。
【請求項３】
前記磁石は、バンド部内に埋め込まれていることを特徴とする請求項１または２に記載の健康増進リング。
【請求項４】
前記バンド部は、不連続部が設けられ、該不連続部の間隔が拡開・近接する弾性部材によって成形されていることを特徴とする請求項１から３のいずれか一つに記載の健康増進リング。
【請求項５】
前記バンド部は、天然型ビタミンＥを配合した樹脂によって成形されていることを特徴とする請求項１から４のいずれか一つに記載の健康増進リング。
【請求項６】
前記バンド部は、ほぼ楕円形に成形され、前記磁石は、バンド部の短軸側の対向した位置に配置されていることを特徴とする請求項１から５のいずれか一つに記載の健康増進リング。
【発明の詳細な説明】
【０００１】
【発明の属する技術分野】
本発明は、血行がよくなるようにするため、手首などの身体の部位に外嵌する健康増進リングに関する。
【０００２】
【従来の技術】
人体に作用する磁気効果と、お洒落感覚を楽しむ装飾効果とを備えた健康増進用の商品が各種提供されている。例えば、特許文献１には、Ｃ字形の彎曲杆の両端部にネジを形成し、任意の数の粒状磁石を収容した中空球体を前記各ネジに螺合した腕輪が開示されている。
【０００３】
また、特許文献２には、鉄やアルミなどの合金材料の全面を金メッキしたＣ字形のリング本体の両端部に永久磁石を装着した健康腕輪が開示されている。さらに、特許文献３には、Ｃ字形の弾性リングが貫通穴を設けた珠を多数連続した状態に貫通し、リングの両端部にプラスチックの止珠が接着剤によって止着され、リングの中間に一対の磁気珠が配置された腕輪、数珠、ネックレス等の装身具が開示されている。
【０００４】
【特許文献１】
登録実用新案第３００２３０９号公報
【特許文献２】
登録実用新案第３０１５１８４号公報
【特許文献３】
登録実用新案第３０２１７６４号公報
【０００５】
【発明が解決しようとする課題】
ところで、磁石によって身体内部には、磁気力が作用する磁界が生じる。強力な磁気力は、血行を促進するなど血液によい影響を及ぼす。身体内部に強力な磁界が生じるためには、Ｎ極とＳ極とを対向させた一対の磁石が身体の部位を挟むように配置されなければならない。
【０００６】
しかし、特許文献１および２に開示された腕輪および健康腕輪は、いずれもＣ字形の彎曲杆の両端部またはリング本体の両端部に磁石が配置されているため、この磁石によって生じる磁界は、彎曲杆の両端部間またはリング本体の両端部間で強力に発生し、身体内部に強力に生じにくいことから、血液によい影響を十分に及ぼすとはいえない。
【０００７】
また、特許文献３に開示された装身具は、Ｃリングの中間に一対の磁気珠が配置されるが、一対の磁気珠はＮ極とＳ極とが必ずしも対向しないことから、一対の磁気珠に挟まれた身体の内部には強力な磁界が生じないことがあり、やはり血液によい影響を及ぼさないことがある。
【０００８】
さらに、特許文献２に記載された健康腕輪は、合金材料の全面が金メッキされているため、金属アレルギーの人は使用できないという不具合があるだけでなく、合金材料の健康腕輪は、重量があるため、長時間使用し続けると、逆に疲労してしまうこともある。
【０００９】
そこで、本発明は、身体内部に強力な磁界が必ず生じるようにした健康増進リングを提供することを課題とする。
【００１０】
【課題を解決するための手段】
本発明に係る健康増進リングは、身体の部位に外嵌する環状のバンド部と、異なる磁極が対向するように前記バンド部の対向位置に配置される磁石とが備えられていることを特徴としている。
【００１１】
この健康増進リングによれば、バンド部の対向位置に磁石が配置され、該磁石は異なる磁極が対向しているため、磁石間に強力な磁界が必ず生じる。したがって、この健康増進リングを外嵌した身体内部には強力な磁界が生じ、この強力な磁界によって血行を促進するなど血液によい影響を確実に及ぼすことができる。
【００１２】
また、前記磁石は、希土類磁石であることが好ましい。希土類磁石によって、磁石間には強力な磁界が生じるようにすることができる。希土類磁石として、ネオジム・鉄・ボロン磁石と、サマリウム・コバルト磁石が実用化されているが、いずれも同じ体積の合金磁石やフェライト磁石と比べて残磁束密度および保磁力が大きく、したがって磁気エネルギがはるかに大きいという特長を有している。なお、ネオジム・鉄・ボロン磁石は、割れや欠け等の機械的強度に優れているという長所があるものの、錆びやすいという短所がある。一方、サマリウム・コバルト磁石は、錆びにくいという長所があるものの、脆くて割れやすいという短所がある。
【００１３】
また、前記磁石は、バンド部内に埋め込まれていることが好ましい。磁石がネオジム・鉄・ボロン磁石であると、錆びやすいため、バンド内に埋め込まれることにより、錆びにくいようにすることができる。また、磁石がサマリウム・コバルト磁石であると、脆くて割れやすいため、バンド内に埋め込まれることにより、割れにくいようにすることができる。磁石がこのような希土類磁石以外であっても、バンド内に埋め込まれた磁石は、割れにくく、また錆びにくいようにすることができる。
【００１４】
また、前記バンド部は、不連続部が設けられ、該不連続部の間隔が拡開・近接する弾性部材によって成形されていることが好ましい。このように間隔が拡開・近接する不連続部を有するバンド部は、例えば手首や足首などに容易に着脱することができる。
【００１５】
また、前記バンド部は、天然型ビタミンＥを配合した肌にやさしい樹脂によって成形されていることが好ましい。天然型ビタミンＥは、血液の流れをよくする効能があるため、天然型ビタミンＥを配合したバンド部によっても血液の流れをよくすることができる。なお、天然型ビタミンＥの製剤としては酢酸トコフェロールを使用することが好ましい。
【００１６】
また、前記バンド部は、ほぼ楕円形に成形され、前記磁石は、バンド部の短軸の対向した位置に配置されていてもよい。身体は、手首や足首のように断面がほぼ楕円形の部位が多いため、当該部位の断面形状に対応してバンド部がほぼ楕円形に成形されることにより、バンド部を身体の部位にフィットするように外嵌することができる。なお、ほぼ楕円形とは、数学的に定義されている楕円形に加え、直交する径の一方が長く、他方が短いような細長い円のことである。
【００１７】
【発明の実施の形態】
本発明に係る健康増進リングの一実施形態を図１および図２を参照しながら説明する。この健康増進リングは、身体の部位に外嵌する環状のバンド部１０と、バンド部１０の対向位置に配置される磁石１，１とが備えられ、該磁石１，１は異なる磁極が対向するようにバンド部１０内に埋め込まれていることを特徴としている。
【００１８】
身体の部位は、手首、足首、腕、首、腹など特定するものではなく、バンド部１０は、外嵌する部位に応じて各種のサイズが形成される。手首や足首等は、断面がほぼ楕円形であるため、当該部位に外嵌するバンドも当該部位の断面形状に対応してほぼ楕円形に形成される。
【００１９】
そしてバンド部１０は、身体の部位（以下、「手首」という。）に外嵌しやすいように不連続部１１が設けられ、該不連続部１１の間隔が拡開・近接する弾性部材によって成形されている。弾性部材として、金属アレルギーの心配がなく、肌にやさしい樹脂を使用することが好ましい。樹脂は、清潔かつ軽量であり、錆たり腐食したりすることがなく、メッキや薬品などを使用しないことから人体および環境に優しいという特長を有している。
【００２０】
そして、バンド部１０を形成する樹脂としては例えばサルホン系非結晶樹脂を使用することが好ましい。サルホン系非結晶樹脂は、主鎖のジフェニルサルホン基により、剛直で強度が高く、寸法安定性、耐熱性、耐薬品性、耐衝撃性、耐熱老化性に優れ、加水分解に対し非常に安定し、またエーテル結合により靱性、熱安定性、加工性が付与され、さらに燃焼性および発煙性が低いという特長を有している。
【００２１】
また、このような樹脂には天然型ビタミンＥ、例えば酢酸トコフェロールが配合されていることが好ましい。酢酸トコフェロールのような天然型ビタミンＥは、抹消血管などの血液の流れをよくする効能があるため、天然型ビタミンＥを配合したバンド部１０を外嵌することにより、血行が促進されるとともに、肌荒れを防止することができる。
【００２２】
このような樹脂によって成形されるバンド部１０は、幅広の帯状とすることにより、天然型ビタミンＥの効能が十分に発揮され、また折損しにくいようにするとともに、表面に模様などのデザインを施しやすいようにすることができる。ただし、バンド部１０は細い線状とし、磁石１，１を配置する部分を幅広部とすることもできる。
【００２３】
そして、バンド部１０の中間部１２と一方の端部１３との各外側には、磁石１，１を埋め込む凹部１４，１５が形成されている。バンド部１０の中間部１２に形成される凹部１４は、磁石１が破損しにくいように、磁石１を埋め込む奥側の小径部１４ａと、外側の大径部１４ｂとからなる段差を有する形状とされている。したがって、バンド部１０の中間部１２は、他の部分よりも厚く形成されている。
【００２４】
外側の大径部１４ｂは栓１６によって塞がれ、磁石１が抜け出ないようにされている。この栓１６は、リベットのように丸い頭部１６ａと凹部１４内に嵌め込まれる足部１６ｂとから構成され、頭部１６ａがバンド部１０の外面にわずかに飛び出るようにして、デザイン上のアクセントとされている。他方、バンド部１０の一方の端部１３に形成された凹部１５は、段差を有しない形状とされ、磁石１が抜け出ないように栓１７によって塞がれる。この栓１７は、バンド部１０の外面からわずかに円弧状に突出するように凹部１５内に嵌め込まれている。
【００２５】
ただし、各凹部１４，１５はバンド部１０の内側に形成してもよいし、貫通穴として両側から栓１６，１７によって磁石１，１を挟むようにしてもよい。また、中間部１２に形成される凹部１４は段差を設けないようにしてもよいし、逆に一方の端部１３に形成される凹部１５に段差を設けるようようにしてもよい。そして、栓１６，１７は両方とも頭部１６ａを有さないもの、あるいは逆に頭部１６ａを有するものとしてもよい。
【００２６】
いずれにしても凹部１４，１５に埋め込まれる状態の磁石１，１は、異なる磁極が対向し、磁石１，１間に強力な磁界が生じるようにされている。すなわち、一方の凹部１４内の磁石１がＮ極を内向きとしているときは、他方の凹部１５内の磁石１はＳ極を内向きとして配置されている。
【００２７】
そして、磁石１としては、ネオジム・鉄・ボロン磁石、あるいはサマリウム・コバルト磁石のような磁気エネルギの大きい希土類磁石を使用することが好ましい。希土類磁石は、フェライト磁石と比べて残磁束密度および保磁力が大きいだけでなく、磁気エネルギが抜けにくいという特長も有している。ただし、磁石１は強力な磁界が生じるものであれば、プラスチック磁石などを採用することもできる。
【００２８】
なお、ネオジム・鉄・ボロン磁石は、割れや欠け等の機械的強度に優れている長所があるものの、錆びやすいという短所がある。しかし、錆びやすいという短所は、磁石が凹部１４，１５内に埋め込まれ、栓１６，１７によって塞がれることによって克服することができる。他方、サマリウム・コバルト磁石は、錆びにくいという長所があるものの、脆くて割れやすいという短所がある。しかし、脆くて割れやすいという短所は、磁石１がバンド部１０内に埋め込まれることによって克服することができる。
【００２９】
以上のように構成された健康増進リングは、不連続部１１を拡開した状態で手首などに外嵌することができる。一旦、手首に外嵌されると、不連続部１１の間隔は元の近接した状態に戻り、手首から容易に外れることがない。ただし、入浴時など健康増進リングを使用しないときは、不連続部１１を拡開することにより、手首から容易に外すことができる。
【００３０】
そして、手首に外嵌された健康増進リングは、バンド部１０がほぼ楕円形状に形成されることにより、バンド部１０の中間部１２が手の甲側に位置し、バンド部１０の不連続部１１が掌側に位置した状態で、回転しないようにすることができる。したがって、バンド部１０の中間部１２と一方の端部１３とに配置された磁石１，１は、手の甲側と掌側とに位置する。手の甲側と掌との厚さは手首の幅よりも薄いため、手首の内部には強い磁界が生じる。
【００３１】
この磁界によって血液中の水分子は発生起電力を得て、振動する。いわゆるドロドロ血は、血液中の多数の水分子が結合した状態となっているが、磁界が生じ、水分子が振動することにより、血液中の結合していた多数の水分子が分離し、いわゆるサラサラ血となる。
【００３２】
また、手首の内部に強い磁界が生じることにより、細胞内に活性酸素が生じにくくなる。活性酸素は、低密度リポタンパク質いわゆる悪玉コレステロール（ＬＤＬ）を変性ＬＤＬに変化させ、該変性ＬＤＬが血管内に蓄積沈着することによって血管が細くなるが、強い磁界によって活性酸素が生じにくくなるため、ＬＤＬは変性ＬＤＬに変化しにくく、血管が細くならないようにすることができる。
【００３３】
また、バンド部１０が天然型ビタミンＥを配合した樹脂によって成形されることによっても、血液の流れがよくなり、また肌荒れを防止することができるなど身体機能が向上するようになる。
【００３４】
なお、本発明は、前記実施の形態に限定することなく、特許請求の範囲に記載した技術的事項の範囲内おいて種々変更することができる。
【００３５】
例えば、異なる磁極が対向するように複数対の磁石１，１をバンド部１０に配置することもできる。また、バンド部１０をほぼ楕円形に形成する場合であっても、磁石１，１は対向した位置であれば、長軸の位置に配置してもよい。さらに、バンド部１０は、円形に形成してもよく、不連続部１１を設けなくてもよいし、また金属によって成形してもよい。
【００３６】
【発明の効果】
本発明によれば、異なる磁極が対向するように磁石が環状のバンド部の対向位置に配置されることにより、この健康増進リングを外嵌した身体の部位内には強い磁界が生じる。この結果、血液がいわゆるサラサラ血となり、脂質の代謝がよくなることから、肩こり、頭痛、腰痛あるいは肌荒れなどを解消することができる。また、強い磁界が生じることから、活性酸素が生じにくくなり、心筋梗塞や脳出血などを予防することができるようになる。
【００３７】
さらに、本発明の健康増進リングは、身体の内部に強い磁界が生じることから、自律神経の副交感神経が優位となり、リラックスできるため、自然治癒力が増強されるとともに、病気にかかりにくくなり、さらに大脳の働きが強化され、集中力や記憶力を向上させることができるようになる。
【図面の簡単な説明】
【図１】本発明の健康増進リングの一実施形態を示す一部断面正面図
【図２】本発明の健康増進リングの一実施形態を示す斜視図
【符号の説明】
１…磁石
１０…バンド部
１１…不連続部
【図１】
2004173754.tif 000003
【図２】
2004173754.tif 000004